(57)【要約】【課題】所望の条件を満たす測定データについての処理開始からの経過時間に応じたレベルの変化量を明確かつ容易に認識可能に表示させる。【解決手段】所定時間間隔で新たな測定データを生成する度に各測定データに基づく複数のスペクトル表示用フレーム１１ａ〜１１ｈを矢印Ａ３方向にずらして測定順に重ねて表示させると共に、フレーム表示条件が指定されたときに、各スペクトル表示用フレーム１１ａ〜１１ｈを表示させる各フレーム表示位置のうちの測定順における最後尾のフレーム表示位置（スペクトル表示用フレーム１１ａの表示位置）を除く各フレーム表示位置にフレーム表示条件を満たす測定データに基づく各スペクトル表示用フレーム１１ｂ〜１１ｈだけを表示させると共に、最後尾のフレーム表示位置に新たな測定データに基づくスペクトル表示用フレーム１１ａを表示させる。【選択図】図６
2011027673.tif 000002
【特許請求の範囲】
【請求項１】
入力信号についての電気的パラメータを測定して所定時間間隔で測定データを生成する測定データ生成部と、前記測定データに基づいて、測定対象成分を第１方向に対応させると共に当該測定対象成分のレベルを当該第１方向と交差する第２方向に対応させて当該各測定対象成分についての測定されたレベルをグラフによって表示する測定結果表示用フレームを表示部に表示させる表示制御部とを備えた測定結果表示装置であって、
前記表示制御部は、前記測定データ生成部によって新たな前記測定データが生成される度に当該各測定データに基づく複数の前記測定結果表示用フレームを第３方向にずらして測定順およびその逆順のいずれかの順に重ねて表示させると共に、フレーム表示条件が指定されたときに、前記各測定結果表示用フレームを表示させる各フレーム表示位置のうちの前記いずれかの順における最後尾の当該フレーム表示位置を除く当該各フレーム表示位置に前記フレーム表示条件を満たす前記測定データに基づく前記各測定結果表示用フレームだけを表示させると共に、前記最後尾のフレーム表示位置に前記新たな測定データに基づく前記測定結果表示用フレームを表示させる測定結果表示装置。
【請求項２】
入力信号についての電気的パラメータを測定して所定時間間隔で測定データを生成する測定データ生成部と、前記測定データに基づいて、測定対象成分を第１方向に対応させると共に当該測定対象成分のレベルを当該第１方向と交差する第２方向に対応させて当該各測定対象成分についての測定されたレベルをグラフによって表示する測定結果表示用フレームを表示部に表示させる表示制御部とを備えた測定結果表示装置であって、
前記表示制御部は、前記測定データ生成部によって新たな前記測定データが生成される度に当該各測定データに基づく複数の前記測定結果表示用フレームを第３方向にずらして測定順およびその逆順のいずれかの順に重ねて表示させると共に、フレーム表示条件が指定されたときに、前記各測定結果表示用フレームを表示させる各フレーム表示位置に前記フレーム表示条件を満たさない前記測定データに基づく前記各測定結果表示用フレームを表示させずに当該フレーム表示条件を満たす前記測定データに基づく前記各測定結果表示用フレームだけを表示させる測定結果表示装置。
【請求項３】
入力信号についての電気的パラメータを測定して所定時間間隔で生成した測定データに基づいて、測定対象成分を第１方向に対応させると共に当該測定対象成分のレベルを当該第１方向と交差する第２方向に対応させて当該各測定対象成分についての測定されたレベルをグラフによって表示する測定結果表示用フレームを表示部に表示させる測定結果表示方法であって、
新たな前記測定データが生成される度に当該各測定データに基づく複数の前記測定結果表示用フレームを第３方向にずらして測定順およびその逆順のいずれかの順に重ねて表示させると共に、フレーム表示条件が指定されたときに、前記各測定結果表示用フレームを表示させる各フレーム表示位置のうちの前記いずれかの順における最後尾の当該フレーム表示位置を除く当該各フレーム表示位置に前記フレーム表示条件を満たす前記測定データに基づく前記各測定結果表示用フレームだけを表示させると共に、前記最後尾のフレーム表示位置に前記新たな測定データに基づく前記測定結果表示用フレームを表示させる測定結果表示方法。
【請求項４】
入力信号についての電気的パラメータを測定して所定時間間隔で生成した測定データに基づいて、測定対象成分を第１方向に対応させると共に当該測定対象成分のレベルを当該第１方向と交差する第２方向に対応させて当該各測定対象成分についての測定されたレベルをグラフによって表示する測定結果表示用フレームを表示部に表示させる測定結果表示方法であって、
新たな前記測定データが生成される度に当該各測定データに基づく複数の前記測定結果表示用フレームを第３方向にずらして測定順およびその逆順のいずれかの順に重ねて表示させると共に、フレーム表示条件が指定されたときに、前記各測定結果表示用フレームを表示させる各フレーム表示位置に前記フレーム表示条件を満たさない前記測定データに基づく前記各測定結果表示用フレームを表示させずに当該フレーム表示条件を満たす前記測定データに基づく前記各測定結果表示用フレームだけを表示させる測定結果表示方法。
【発明の詳細な説明】
【技術分野】
【０００１】
本発明は、複数の測定対象成分についての測定されたレベルをグラフによって表示する測定結果表示用フレームを表示させる測定結果表示装置および測定結果表示方法に関するものである。
【背景技術】
【０００２】
この種の測定結果表示方法に従って周波数スペクトルを表示する測定結果表示装置として、周波数スペクトル分析装置（以下、単に「分析装置」ともいう）が特開２００５−２１４７７７号公報に開示されている。この分析装置では、分析対象のアナログ信号をデジタルデータに変換した後に、所定の演算処理によってパワースペクトルを求め、その結果（スペクトル波形）を表示部に表示させる構成が採用されている。この場合、この分析装置では、一例として、演算処理によって求めたスペクトルにおける周波数を画面左右方向に対応させると共に各周波数のレベルを画面上下方向に対応させて各周波数毎のピークパワー（測定されたレベル）をスペクトル波形として表示させる構成が採用されている。
【先行技術文献】
【特許文献】
【０００３】
【特許文献１】特開２００５−２１４７７７号公報（第４−７頁、第３−５図）
【発明の概要】
【発明が解決しようとする課題】
【０００４】
しかしながら、従来の分析装置には、以下の問題点が存在する。すなわち、従来の分析装置では、周波数を画面左右方向に対応させると共に各周波数のレベルを画面上下方向に対応させたスペクトル波形を表示させる構成が採用されている。この場合、この種の装置を用いて分析する信号の中には、例えば、所定時間間隔で、分析すべき信号成分が含まれている状態と、分析すべき信号成分が含まれていない状態（例えば、ノイズ成分だけが測定される状態）とで交互に切り替わるものが存在する。このような信号を分析する際に、従来の分析装置では、上記の所定時間間隔よりも短い時間間隔で複数回に亘って測定処理を実行して、分析すべき信号成分が含まれている状態において実行した測定処理の結果（スペクトル波形）に基づいて対象の信号を分析することができる。しかしながら、従来の分析装置では、表示させたスペクトル波形の測定時間に対する前後の時間に対応するスペクトル波形が表示画面に同時に表示されず、いずれかの時点における１つのスペクトル波形だけが表示部に表示される構成が採用されている。このため、従来の分析装置では、処理開始からの経過時間に応じたレベルの変化量を直感的に把握するのが困難となっている。
【０００５】
このような課題を改善すべく、出願人は、入力信号についての周波数スペクトルを所定時間間隔で測定すると共に、測定した各スペクトルを表すグラフを表示画面内において所定量ずつずらして測定順に重ねて表示させる測定結果表示装置を開発している。具体的には、出願人が開発している測定結果表示装置では、図７〜９に示すように、周波数（この例では、１０ｋＨｚ〜４０ｋＨｚ）を画面左右方向（矢印Ａ１の方向）に対応させると共に周波数のレベル（この例では、−１３０ｄＢ〜−３０ｄＢ）を画面上下方向（矢印Ａ２の方向）に対応させて各周波数についての測定されたレベルをグラフによって表示するスペクトル表示用フレーム１１ａ〜１１ｈ（以下、単に「フレーム１１ａ〜１１ｈ」ともいう。また、これらを区別しないときには「フレーム１１」ともいう）を、矢印Ａ１，Ａ２と交差する左下がりの斜め方向（矢印Ａ３の方向）にずらして測定順に重ねて表示させる測定結果表示用画面１０を表示部５に表示させる構成が採用されている。
【０００６】
この場合、図７〜９では、一例として、１秒間隔で実行した測定処理の８つの測定データに基づく８つのフレーム１１が測定結果表示用画面１０内に表示された状態を図示している。具体的には、例えば図７では、最初の測定処理によって生成された測定データに基づく１１ｈの上に、２番目以降８番目までの各測定処理によって生成された７つの測定データに基づく１１ｇ，１１ｆ・・１１ａが測定順で重なって表示されている。また、１秒間隔で新たな測定データが生成される度に、フレーム１１ａ〜１１ｇに表示させていたグラフＧａ〜Ｇｇがフレーム１１ｂ〜１１ｈにグラフＧｂ〜Ｇｈとして表示されると共に、新たな測定データに基づいてフレーム１１ａにグラフＧａが表示される。したがって、出願人が開発している測定結果表示装置によれば、測定結果表示用画面１０内に測定順に並んで表示された複数のフレーム１１内の各グラフＧａ〜Ｇｈ（以下、区別しないときには「グラフＧ」ともいう）を参照することで、処理開始からの経過時間に応じたレベルの変化量を直感的に把握することができる。
【０００７】
しかしながら、出願人が開発している測定結果表示装置では、例えば、分析すべき信号成分が含まれている状態が３秒間に亘って連続した後に、分析すべき信号成分が含まれていない状態（例えば、ノイズ成分だけが測定される状態）が７秒間に亘って連続し、再び、分析すべき信号成分が含まれている状態が３秒間に亘って連続するといった信号を分析対象として１秒間隔で測定処理を実行したときに、分析すべき信号成分が含まれている最初の３秒間において測定した測定データに基づく各フレーム１１と、分析すべき信号成分が含まれていない７秒を挟んだ次の３秒間において測定した測定データに基づく各フレーム１１とが測定結果表示用画面１０内に同時に表示されないこととなる。具体的には、開始から８秒が経過した時点においては、図７に示すように、最初の３回の測定処理によって生成された測定データ（分析すべき信号成分が含まれている測定データ）に基づいてフレーム１１ｈ〜１１ｆ内にグラフＧｈ〜Ｇｆが表示されるものの、フレーム１１ｅ〜１１ａ内には、４回目から８回目までの５回の測定処理によって生成された測定データ（分析すべき信号成分が含まれていない測定データ）に基づくグラフＧｅ〜Ｇａが表示された状態となる。
【０００８】
一方、開始から１１秒が経過した時点（上記の「次の３秒間」が到来した時点）においては、図８に示すように、１１回目の測定処理によって生成された測定データ（分析すべき信号成分が含まれている測定データ）に基づいてフレーム１１ａ内にグラフＧａが表示されるものの、フレーム１１ｈ〜１１ｂ内には、４回目から１０回目までの７回の測定処理によって生成された測定データ（分析すべき信号成分が含まれていない測定データ）に基づくグラフＧｈ〜Ｇｂが表示された状態となる。したがって、図７，８に示すいずれの測定結果表示用画面１０においても、最初の３秒間において測定した測定データに基づく各フレーム１１と、次の３秒間において測定した測定データに基づく各フレーム１１とが同時に表示されない。したがって、この種の装置に不慣れな利用者にとっては、最初の３秒間において測定した測定データ、および次の３秒間において測定した測定データの分析すべき信号成分についての処理開始からの経過時間に応じたレベルの変化量を直感的に把握するのが困難となっており、この点を改善するのが好ましい。
【０００９】
この場合、この例では、上記の分析すべき信号成分が含まれていない状態が６秒以下（例えば、６秒）であれば、図９に示すように、最初の３秒間において測定した測定データに基づく各フレーム１１と、次の３秒間において測定した測定データに基づく各フレーム１１とが測定結果表示用画面１０内に同時に表示される。しかしながら、最初の３秒間において測定した測定データに基づく各フレーム１１と、次の３秒間において測定した測定データに基づく各フレーム１１との間に、分析すべき信号成分が含まれていない状態において測定された測定データに基づくフレーム１１が挟まれて表示されることとなる。したがって、この種の装置に不慣れな利用者にとっては、このような例においても、最初の３秒間において測定した測定データ、および次の３秒間において測定した測定データの分析すべき信号成分についての経過時間に応じたレベルの変化量を直感的に把握するのが困難となっており、この点を改善するのが好ましい。
【００１０】
本発明は、かかる改善すべき課題に鑑みてなされたものであり、所望の条件を満たす測定データについての処理開始からの経過時間に応じたレベルの変化量を明確かつ容易に認識可能に表示し得る測定結果表示装置および測定結果表示方法を提供することを主目的とする。
【課題を解決するための手段】
【００１１】
上記目的を達成すべく、請求項１記載の測定結果表示装置は、入力信号についての電気的パラメータを測定して所定時間間隔で測定データを生成する測定データ生成部と、前記測定データに基づいて、測定対象成分を第１方向に対応させると共に当該測定対象成分のレベルを当該第１方向と交差する第２方向に対応させて当該各測定対象成分についての測定されたレベルをグラフによって表示する測定結果表示用フレームを表示部に表示させる表示制御部とを備えた測定結果表示装置であって、前記表示制御部が、前記測定データ生成部によって新たな前記測定データが生成される度に当該各測定データに基づく複数の前記測定結果表示用フレームを第３方向にずらして測定順およびその逆順のいずれかの順に重ねて表示させると共に、フレーム表示条件が指定されたときに、前記各測定結果表示用フレームを表示させる各フレーム表示位置のうちの前記いずれかの順における最後尾の当該フレーム表示位置を除く当該各フレーム表示位置に前記フレーム表示条件を満たす前記測定データに基づく前記各測定結果表示用フレームだけを表示させると共に、前記最後尾のフレーム表示位置に前記新たな測定データに基づく前記測定結果表示用フレームを表示させる。
【００１２】
請求項２記載の測定結果表示装置は、入力信号についての電気的パラメータを測定して所定時間間隔で測定データを生成する測定データ生成部と、前記測定データに基づいて、測定対象成分を第１方向に対応させると共に当該測定対象成分のレベルを当該第１方向と交差する第２方向に対応させて当該各測定対象成分についての測定されたレベルをグラフによって表示する測定結果表示用フレームを表示部に表示させる表示制御部とを備えた測定結果表示装置であって、前記表示制御部が、前記測定データ生成部によって新たな前記測定データが生成される度に当該各測定データに基づく複数の前記測定結果表示用フレームを第３方向にずらして測定順およびその逆順のいずれかの順に重ねて表示させると共に、フレーム表示条件が指定されたときに、前記各測定結果表示用フレームを表示させる各フレーム表示位置に前記フレーム表示条件を満たさない前記測定データに基づく前記各測定結果表示用フレームを表示させずに当該フレーム表示条件を満たす前記測定データに基づく前記各測定結果表示用フレームだけを表示させる。
【００１３】
請求項３記載の測定結果表示方法は、入力信号についての電気的パラメータを測定して所定時間間隔で生成した測定データに基づいて、測定対象成分を第１方向に対応させると共に当該測定対象成分のレベルを当該第１方向と交差する第２方向に対応させて当該各測定対象成分についての測定されたレベルをグラフによって表示する測定結果表示用フレームを表示部に表示させる測定結果表示方法であって、新たな前記測定データが生成される度に当該各測定データに基づく複数の前記測定結果表示用フレームを第３方向にずらして測定順およびその逆順のいずれかの順に重ねて表示させると共に、フレーム表示条件が指定されたときに、前記各測定結果表示用フレームを表示させる各フレーム表示位置のうちの前記いずれかの順における最後尾の当該フレーム表示位置を除く当該各フレーム表示位置に前記フレーム表示条件を満たす前記測定データに基づく前記各測定結果表示用フレームだけを表示させると共に、前記最後尾のフレーム表示位置に前記新たな測定データに基づく前記測定結果表示用フレームを表示させる。
【００１４】
請求項４記載の測定結果表示方法は、入力信号についての電気的パラメータを測定して所定時間間隔で生成した測定データに基づいて、測定対象成分を第１方向に対応させると共に当該測定対象成分のレベルを当該第１方向と交差する第２方向に対応させて当該各測定対象成分についての測定されたレベルをグラフによって表示する測定結果表示用フレームを表示部に表示させる測定結果表示方法であって、新たな前記測定データが生成される度に当該各測定データに基づく複数の前記測定結果表示用フレームを第３方向にずらして測定順およびその逆順のいずれかの順に重ねて表示させると共に、フレーム表示条件が指定されたときに、前記各測定結果表示用フレームを表示させる各フレーム表示位置に前記フレーム表示条件を満たさない前記測定データに基づく前記各測定結果表示用フレームを表示させずに当該フレーム表示条件を満たす前記測定データに基づく前記各測定結果表示用フレームだけを表示させる。
【発明の効果】
【００１５】
請求項１記載の測定結果表示装置、および請求項３記載の測定結果表示方法によれば、フレーム表示条件が指定されたときに、各測定結果表示用フレームを第３方向にずらして測定順およびその逆順のいずれかの順に重ねて表示させる各フレーム表示位置のうちのいずれかの順における最後尾のフレーム表示位置を除く各フレーム表示位置にフレーム表示条件を満たす測定データに基づく各測定結果表示用フレームだけを表示させると共に、後尾のフレーム表示位置に新たな測定データに基づく測定結果表示用フレームを表示させることにより、新たな測定データが生成される度にその測定データが所定の条件を満たすか否かに関係なくフレーム（グラフ）を測定結果表示用画面内に表示させる構成とは異なり、フレーム表示条件として指定した条件を満たさない測定データに基づくフレームを挟むことなく、指定したフレーム表示条件を満たす測定データに基づくフレーム（グラフ）を第３方向にいずれかの順で重ねて表示させることができる。このため、不慣れな利用者であっても、所望の条件を満たす測定データについての処理開始からの経過時間に応じたレベルの変化量を明確かつ容易に認識することができる。また、この測定結果表示装置および測定結果表示方法によれば、例えば、上記のフレーム表示条件を満たさない測定データが連続して生成されたときに、この測定データに基づくフレーム（グラフ）が測定結果表示用画面に表示されないときには、入力信号についての測定処理が継続して実行されている状態であるか、測定処理が終了した状態であるかを認識するのが困難となるおそれがあるのに対し、フレーム表示条件を満たさない測定データに対応するフレーム（グラフ）を測定順の最後尾に表示させることで、測定処理が継続して実行されている状態であることを直感的に認識させることができる。
【００１６】
請求項２記載の測定結果表示装置、および請求項４記載の測定結果表示方法によれば、フレーム表示条件が指定されたときに、各測定結果表示用フレームを第３方向にずらして測定順およびその逆順のいずれかの順に重ねて表示させる各フレーム表示位置にフレーム表示条件を満たさない測定データに基づく各測定結果表示用フレームを表示させずにフレーム表示条件を満たす測定データに基づく各測定結果表示用フレームだけを表示させることにより、新たな測定データが生成される度にその測定データが所定の条件を満たすか否かに関係なくフレーム（グラフ）を測定結果表示用画面内に表示させる構成とは異なり、フレーム表示条件として指定した条件を満たさない測定データに基づくフレームを挟むことなく、指定したフレーム表示条件を満たす測定データに基づくフレーム（グラフ）を第３方向にいずれかの順で重ねて表示させることができる。このため、不慣れな利用者であっても、所望の条件を満たす測定データについての処理開始からの経過時間に応じたレベルの変化量を明確かつ容易に認識することができる。
【図面の簡単な説明】
【００１７】
【図１】測定結果表示装置１のブロック図である。
【図２】フレーム表示条件を満たさない測定データＤ２に基づくスペクトル表示用フレーム１１ａ（グラフＧａ）を表示させた状態の測定結果表示用画面１０の表示画面図である。
【図３】フレーム表示条件を満たす測定データＤ２に基づくスペクトル表示用フレーム１１ａ（グラフＧａ）を表示させた状態の測定結果表示用画面１０の表示画面図である。
【図４】フレーム表示条件を満たす３つの測定データＤ２に基づく３つのスペクトル表示用フレーム１１ａ〜１１ｃ（グラフＧａ〜Ｇｃ）を表示させた状態の測定結果表示用画面１０の表示画面図である。
【図５】フレーム表示条件を満たす３つの測定データＤ２、およびフレーム表示条件を満たさない１つの測定データＤ２に基づく４つのスペクトル表示用フレーム１１ａ〜１１ｄ（グラフＧａ〜Ｇｄ）を表示させた状態の測定結果表示用画面１０の表示画面図である。
【図６】フレーム表示条件を満たす８つの測定データＤ２に基づく８つのスペクトル表示用フレーム１１ａ〜１１ｈ（グラフＧａ〜Ｇｈ）を表示させた状態の測定結果表示用画面１０の表示画面図である。
【図７】出願人が開発している測定結果表示装置における測定結果表示用画面１０の表示画面図である。
【図８】出願人が開発している測定結果表示装置における測定結果表示用画面１０の他の表示画面図である。
【図９】出願人が開発している測定結果表示装置における測定結果表示用画面１０のさらに他の表示画面図である。
【発明を実施するための形態】
【００１８】
以下、添付図面を参照して、測定結果表示装置および測定結果表示方法の実施の形態について説明する。
【００１９】
図１に示す測定結果表示装置１は、入力信号Ｓｉについての周波数スペクトルを測定して表示するスペクトルアナライザであって、測定部２、メモリ３、操作部４、表示部５および制御部６を備えて構成されている。測定部２は、入力信号Ｓｉを増幅するアンプや、アンプによって増幅された信号をデジタル変換するＡ／Ｄコンバータ等（図示せず）を備え、制御部６の制御に従って入力信号Ｓｉを所定時間間隔でサンプリングすることによって（入力信号Ｓｉについての電気的パラメータを所定時間間隔で測定して）測定データＤ１を生成し、生成した測定データＤ１を制御部６に出力する。メモリ３は、上記の測定データＤ１や、制御部６の演算結果（後述する測定データＤ２等）を記憶する。この場合、メモリ３には、一例として、測定部２から順次出力される測定データＤ１を先入れ先出し法で記憶するリングバッファ形式の複数の記憶領域が規定されている。
【００２０】
操作部４は、測定結果表示装置１の動作条件を設定するための各種の操作スイッチを備え、スイッチ操作に応じた操作信号Ｓ１を制御部６に出力する。表示部５は、カラー液晶表示パネルを備えて構成され、制御部６の制御に従って、図２〜６に示す測定結果表示用画面１０などを表示する。制御部６は、一例として、ＦＰＧＡ（Field Programmable Gate Array ）およびＣＰＵを備え、測定部２と相俟って測定データ生成部を構成する。具体的には、制御部６は、測定部２から出力された測定データＤ１をメモリ３に順次記憶させると共に、記憶させた測定データＤ１に対する所定の演算処理（一例として、高速フーリエ変換等）を実行することにより、入力信号Ｓｉについての所定時間毎の周波数スペクトルを演算して測定データＤ２を所定時間間隔で生成する。
【００２１】
また、制御部６は、表示制御部に相当し、生成した測定データＤ２に基づいて測定結果表示用画面１０を表示部５に表示させる。この場合、測定結果表示用画面１０は、制御部６によって演算された周波数スペクトルを測定順に表示するための表示画面であって、図６に示すように、出願人が開発している測定結果表示装置における測定結果表示用画面１０と同様にして、複数のスペクトル表示用フレーム１１ａ〜１１ｈ（「測定結果表示用フレーム」の一例：以下、単に「フレーム１１ａ〜１１ｈ」ともいう。また、これらを区別しないときには「フレーム１１」ともいう）が左下がりの斜め方向（矢印Ａ３の方向）に所定量ずつずれながら重なって表示されている。なお、同図では、測定結果表示用画面１０の画面構成についての理解を容易とするために、フレーム１１ａ〜１１ｈの８フレームだけを図示しているが、この測定結果表示装置１では、利用者の目的に応じてさらに多数のフレーム１１（一例として、１０〜２００フレーム）を測定結果表示用画面１０内に表示させることが可能となっている。また、この測定結果表示用画面１０では、各フレーム１１の各表示位置がそれぞれ「フレーム表示位置」に相当する。
【００２２】
この場合、この測定結果表示装置１では、周波数（「測定対象成分」の一例：この例では、１０ｋＨｚ〜４０ｋＨｚ）を画面左右方向（矢印Ａ１の方向：「第１方向」の一例）に対応させると共に、周波数のレベル（「ｄＢ」）を画面上下方向（矢印Ａ２の方向：「第１方向と交差する第２方向」の一例）に対応させて、各周波数についての「測定されたレベル（周波数スペクトル）」をグラフＧａ〜Ｇｈ（以下、区別しないときには「グラフＧ」ともいう）によって測定結果表示用画面１０内に表示させる構成が採用されている。また、この測定結果表示装置１では、制御部６が、測定部２から出力される測定データＤ１に基づいて新たな測定データＤ２を生成する度に、各測定データＤ２に基づく各フレーム１１を左下がり方向（矢印Ａ３の方向：「第３方向」の一例）にずらして測定順に重ねて（一例として、最新の測定結果に近い測定結果のフレーム１１ほど左下に位置するように、右上から左下に向かう向きで重ねて）に各フレーム表示位置に三次元的に表示させるように測定結果表示用画面１０を表示させる。なお、測定結果表示用画面１０の表示に際して、最新の測定結果に近い測定結果のフレーム１１ほど右上に位置するように、左下から右上に向かう向きで測定順の逆順で重ねて各フレーム１１を表示させる構成を採用することもできる。
【００２３】
さらに、この測定結果表示装置１では、フレーム表示条件（対応するフレーム１１を表示部５に表示させる測定データＤ２を指定する条件）が指定されたときに、フレーム表示条件を満たす測定データＤ２に対応するフレーム１１を矢印Ａ３の方向（第３方向）にずらして測定順に重ねて表示部５（測定結果表示用画面１０内）に表示させる構成が採用されている。この場合、上記の「フレーム表示条件」としては、一例として、「予め設定された時間内に実行された測定処理によって生成された測定データＤ１に基づく測定データＤ２」との条件、「操作部４のスタートスイッチが操作されてからストップスイッチが操作されるまでの間に実行された測定処理によって生成された測定データＤ１に基づく測定データＤ２」との条件、「所定の周波数が予め設定されたレベルを上回るレベル（または、設定されたレベル以上のレベル）の測定データＤ２」との条件、「所定の周波数が予め設定されたレベルを下回るレベル（または、設定されたレベル以下のレベル）の測定データＤ２」との条件、および「上記の各条件のうちの２つ以上を満たす測定データＤ２」との条件などの測定時間、周波数およびレベルに関する表示条件がこれに含まれる。
【００２４】
また、この測定結果表示装置１では、最新の測定結果を表示するフレーム１１ａのグラフＧａが強調表示される構成が採用されている。なお、図２〜６では、強調表示の一例として、グラフＧａを他のフレーム１１のグラフＧよりも太い線で描画した例を図示しているが、このような強調表示に変えて、フレーム１１ａのグラフＧａの表示色を他のフレーム１１のグラフＧの表示色とは相違させて表示させる構成や、フレーム１１ａのグラフＧａを点滅表示させる構成を採用することもできる。さらに、この測定結果表示装置１では、一例として、上記の「フレーム表示条件」を満たす測定データＤ２だけをメモリ３内に記憶させ、「フレーム表示条件」を満たさない測定データＤ２については、対応するフレーム１１（グラフＧ）を測定結果表示用画面１０内に表示させた後に新たな測定データＤ２が生成されたときに、その新たな測定データＤ２を上書きすることによってメモリ３から消去する構成が採用されている。
【００２５】
この測定結果表示装置１の使用に際しては、まず、操作部４を操作して測定結果表示装置１の動作条件（測定条件）を設定する。具体的には、一例として、入力信号Ｓｉについての１０ｋＨｚ〜４０ｋＨｚの範囲内の各周波数のスペクトルを測定して測定データＤ２を生成すると共に、２０．０ｋＨｚ〜２２．５ｋＨｚの範囲内において−９０ｄＢを上回る測定値が測定されたときに、その測定処理の測定結果（この例では、−１３０ｄＢ〜−３０ｄＢの範囲内のうちのいずれのレベルであるか）を各フレーム１１にグラフＧによって表示させ、かつ、対応する測定データＤ２をメモリ３に蓄積するように設定する。この際には、一例として、各測定処理の実行間隔（すなわち、各フレーム１１の描画間隔（「第３方向」に対応する各フレーム１１の測定時間間隔））を１秒（１ｓ）に設定する。なお、この例では、「２０．０ｋＨｚ〜２２．５ｋＨｚの範囲内において−９０ｄＢを上回る測定値が測定されたとき」との条件が「フレーム表示条件」に相当する。
【００２６】
次いで、操作部４の開始スイッチを操作することにより、制御部６による測定データＤ２の記憶処理、および測定データＤ２に基づく周波数スペクトルの表示処理（測定結果表示用画面１０の表示処理）が開始される。具体的には、操作部４から処理開始を指示する操作信号Ｓ１が出力されたときに、制御部６は、測定部２を制御して処理を開始させる。これに応じて、測定部２は、入力信号Ｓｉをデジタル変換すると共に、変換したデジタル信号について１秒間隔でサンプリングして測定データＤ１を生成し、生成した測定データＤ１を制御部６に出力する。また、制御部６は、測定部２から出力された測定データＤ１をメモリ３に順次記憶させる。さらに、制御部６は、上記の測定データＤ１のメモリ３への記憶処理と並行して、測定部２から測定データＤ１が出力される度に、その測定データＤ１（メモリ３に記憶させた測定データＤ１）に基づく周波数スペクトルの演算処理を実行する。
【００２７】
具体的には、制御部６は、メモリ３に記憶させた測定データＤ１を読み出して所定の演算処理（高速フーリエ変換等）を実行することにより、その測定データＤ１に基づく周波数スペクトルを演算して測定データＤ２を生成し、生成した測定データＤ２をメモリ３に記憶させる。なお、測定部２によってデジタル変換された測定データＤ１に基づく周波数スペクトルの演算方法は公知のため、その詳細な説明を省略する。また、制御部６は、生成した測定データＤ２に基づき、測定結果（測定対象の入力信号Ｓｉについての周波数スペクトル）を表示させるための表示用データを生成して出力することにより、図２に示すように、測定結果表示用画面１０を表示部５に表示させる。
【００２８】
この際に、一例として、入力信号Ｓｉが、分析すべき信号成分が含まれている状態（図４に示すグラフＧａ〜Ｇｃのように、２０．０ｋＨｚ〜２２．５ｋＨｚの範囲内において−９０ｄＢを上回る測定値が測定される状態）が３秒間に亘って連続した後に、分析すべき信号成分が含まれていない状態（図２に示すグラフＧａように、２０．０ｋＨｚ〜２２．５ｋＨｚの範囲内において−９０ｄＢを上回る測定値が測定されず、例えば、ノイズ成分だけが測定される状態）が７秒間に亘って連続し、再び、分析すべき信号成分が含まれている状態が３秒間に亘って連続する信号であって、上記の「分析すべき信号成分が含まれていない状態（ノイズ成分だけが測定される状態）」において操作部４の開始スイッチが操作されたときには、制御部６が、測定部２から出力された測定データＤ１に基づいてノイズ成分に対応する測定値の測定データＤ２を生成する。
【００２９】
この際には、制御部６は、生成した測定データＤ２が上記のフレーム表示条件を満たしていないと判別し（「フレーム表示条件を満たさない測定データが生成されたとき」の一例）、図２に示すように、その測定データＤ２に基づいて、フレーム１１ａにグラフＧａ（ノイズ成分に対応する測定値を表すグラフ）を表示させる（「いずれかの順の最後尾のフレーム表示位置に新たな測定データに基づく各測定結果表示用フレームを表示させる」との状態の一例）。また、フレーム１１ａ（グラフＧａ）を表示させた後に１秒が経過した時点において、制御部６は、測定部２から出力された測定データＤ１に基づいて測定データＤ２を生成する。この際には、生成した測定データＤ２をメモリ３内の測定データＤ２（フレーム表示条件を満たしていない測定データＤ２）に上書きすることで上記の測定データＤ２を消去する。これにより、分析すべき信号成分が含まれていない不要な測定データＤ２の記憶によってメモリ３の記憶可能容量が減少する事態が回避される。
【００３０】
また、制御部６は、新たに生成した（新たにメモリ３に記憶させた）測定データＤ２がフレーム表示条件を満たしているか否かを判別し、フレーム表示条件を満たしていないときには、上記の消去した測定データＤ２に基づくフレーム１１ａ（グラフＧａ）に代えて、新たに生成した測定データＤ２に基づくフレーム１１ａ（グラフＧａ）を測定結果表示用画面１０内に表示させる（「いずれかの順の最後尾のフレーム表示位置に新たな測定データに基づく各測定結果表示用フレームを表示させる」との状態の他の一例）。これにより、ノイズ成分に対応する測定値を表すグラフＧａが表示される。
【００３１】
次いで、制御部６は、測定部２から出力された測定データＤ１に基づいて生成した測定データＤ２の記憶処理、およびその測定データＤ２に基づくフレーム１１（グラフＧ）の表示処理を１秒間隔で繰り返して実行する。また、例えば、処理開始から４秒が経過した時点において、前述したように、入力信号Ｓｉが「分析すべき信号成分が含まれた状態」となったときには、制御部６は、生成した測定データＤ２がフレーム表示条件を満たしていると判別し、図３に示すように、その測定データＤ２に基づいてフレーム１１ａ（グラフＧａ）を測定結果表示用画面１０内に表示させる（「いずれかの順の最後尾のフレーム表示位置に新たな測定データに基づく各測定結果表示用フレームを表示させる」との状態のさらに他の一例）。これにより、２０．０ｋＨｚ〜２２．５ｋＨｚの範囲内において−９０ｄＢを上回る測定値となっているグラフＧａが表示される。
【００３２】
次いで、処理開始から５秒が経過した時点において、制御部６は、生成した測定データＤ２がフレーム表示条件を満たしていると判別して、フレーム１１ａに表示していたグラフＧａをフレーム１１ｂにグラフＧｂとして表示させると共に、新たに生成した測定データＤ２に基づいてフレーム１１ａ（グラフＧａ）を測定結果表示用画面１０内に表示させる。これにより、２０．０ｋＨｚ〜２２．５ｋＨｚの範囲内において−９０ｄＢを上回る測定値となっているグラフＧａ，Ｇｂが矢印Ａ３の方向に測定順で重なって表示される（「いずれかの順における最後尾のフレーム表示位置を除く各フレーム表示位置にフレーム表示条件を満たす測定データに基づく各測定結果表示用フレームだけを表示させると共に、いずれかの順の最後尾のフレーム表示位置に新たな測定データに基づく各測定結果表示用フレームを表示させる」との状態の一例）。この際に、制御部６は、新たに生成した測定データＤ２（グラフＧａに対応する測定データＤ２）を、グラフＧｂに対応する測定データＤ２に上書きすることなく記憶させる。
【００３３】
続いて、処理開始から６秒が経過した時点において、制御部６は、生成した測定データＤ２がフレーム表示条件を満たしていると判別して、図４に示すように、フレーム１１ｂに表示していたグラフＧｂをフレーム１１ｃにグラフＧｃとして表示させ、かつ、フレーム１１ａに表示していたグラフＧａをフレーム１１ｂにグラフＧｂとして表示させると共に、新たに生成した測定データＤ２に基づいてフレーム１１ａ（グラフＧａ）を測定結果表示用画面１０内に表示させる。これにより、２０．０ｋＨｚ〜２２．５ｋＨｚの範囲内において−９０ｄＢを上回る測定値となっているグラフＧａ，Ｇｂ，Ｇｃが矢印Ａ３の方向に測定順で重なって表示される（「いずれかの順における最後尾のフレーム表示位置を除く各フレーム表示位置にフレーム表示条件を満たす測定データに基づく各測定結果表示用フレームだけを表示させると共に、いずれかの順の最後尾のフレーム表示位置に新たな測定データに基づく各測定結果表示用フレームを表示させる」との状態の他の一例）。
【００３４】
次いで、処理開始から７秒が経過した時点においては、前述したように、入力信号Ｓｉが「分析すべき信号成分が含まれていない状態」となるため、制御部６は、生成した測定データＤ２がフレーム表示条件を満たしていないと判別する。この際に、制御部６は、図５に示すように、フレーム１１ｃに表示していたグラフＧｃをフレーム１１ｄにグラフＧｄとして表示させ、フレーム１１ｂに表示していたグラフＧｂをフレーム１１ｃにグラフＧｃとして表示させ、かつ、フレーム１１ａに表示していたグラフＧａをフレーム１１ｂにグラフＧｂとして表示させると共に、新たに生成した測定データＤ２に基づいてフレーム１１ａ（グラフＧａ）を測定結果表示用画面１０内に表示させる。これにより、２０．０ｋＨｚ〜２２．５ｋＨｚの範囲内において−９０ｄＢを上回る測定値となっているグラフＧｂ，Ｇｃ，Ｇｄと、ノイズ成分に対応する測定値を表すグラフＧａとが矢印Ａ３の方向に測定順で重なって表示される（「いずれかの順における最後尾のフレーム表示位置を除く各フレーム表示位置にフレーム表示条件を満たす測定データに基づく各測定結果表示用フレームだけを表示させると共に、いずれかの順の最後尾のフレーム表示位置に新たな測定データに基づく各測定結果表示用フレームを表示させる」との状態のさらに他の一例）。
【００３５】
この後、処理開始から１３秒が経過した時点までに実行される各測定処理時には、上記のフレーム表示条件を満たさない測定データＤ２が生成される。したがって、制御部６は、フレーム１１ｂ〜１１ｄ（グラフＧｂ〜グラフＧｄ）を図５に示す表示位置に表示させた状態を維持しつつ（フレーム１１ｂ〜１１ｄ（グラフＧｂ〜グラフＧｄ）を表示替えすることなく）、生成した測定データＤ２に基づくフレーム１１ａ（ノイズ成分に対応する測定値を表すグラフＧａ）を測定結果表示用画面１０内に表示させる（「いずれかの順における最後尾のフレーム表示位置を除く各フレーム表示位置にフレーム表示条件を満たす測定データに基づく各測定結果表示用フレームだけを表示させると共に、いずれかの順の最後尾のフレーム表示位置に新たな測定データに基づく各測定結果表示用フレームを表示させる」との状態のさらに他の一例：図示せず）。
【００３６】
一方、処理開始から１４秒が経過した時点においては、前述したように、入力信号Ｓｉが「分析すべき信号成分が含まれた状態」となる。したがって、制御部６は、生成した測定データＤ２がフレーム表示条件を満たしていると判別し、処理開始から１３秒が経過した時点において生成した測定データＤ２に基づくフレーム１１ａ（ノイズ成分に対応する測定値を表すグラフＧａ）に代えて、新たに生成した測定データＤ２に基づくフレーム１１ａ（グラフＧａ）を測定結果表示用画面１０内に表示させる。これにより、２０．０ｋＨｚ〜２２．５ｋＨｚの範囲内において−９０ｄＢを上回る測定値となっているグラフＧａ〜Ｇｄ（測定開始からの経過時間が４秒、５秒、６秒および１４秒の４つの時点において生成された「フレーム表示条件」を満たす４つの測定データＤ２に基づくグラフＧ）が矢印Ａ３の方向に測定順で重なって測定結果表示用画面１０内に表示される（図示せず）。
【００３７】
この後、制御部６は、上記の一連の処理を繰り返して実行する。これにより、例えば、測定開始から２５秒が経過した時点においては、図６に示すように、測定開始からの経過時間が４秒、５秒、６秒、１４秒、１５秒、１６秒、２４秒および２５秒の８つの時点において生成された「フレーム表示条件」を満たす８つの測定データＤ２に基づくグラフＧａ〜Ｇｈ（フレーム１１ａ〜１１ｈ）が、「フレーム表示条件」を満たさない測定データＤ２に基づくグラフＧを挟むことなく、矢印Ａ３の方向に測定順で重なって測定結果表示用画面１０内に表示される。したがって、利用者に対して、「２０．０ｋＨｚ〜２２．５ｋＨｚの範囲内において−９０ｄＢを上回る測定値」との条件を満たす測定データＤ２に基づくフレーム１１（グラフＧ）だけを参照させて入力信号Ｓｉを分析させることができる。
【００３８】
なお、「フレーム表示条件」として、「２０．０ｋＨｚ〜２２．５ｋＨｚの範囲内において−９０ｄＢを上回る測定値」との条件を設定して一連の処理を実行する例について説明したが、この測定結果表示装置１では、「所定の周波数が予め設定されたレベル以上のレベルの測定データＤ２」との条件、「所定の周波数が予め設定されたレベルを下回るレベルの測定データＤ２」との条件、および「所定の周波数が予め設定されたレベル以下のレベルの測定データＤ２」との条件が設定されたときには、この設定された条件を満たす測定データＤ２に基づくフレーム１１（グラフＧ）だけが矢印Ａ３の方向で重なって測定結果表示用画面１０内に表示される（図示せず）。同様にして、「予め設定された時間内に実行された測定処理によって生成された測定データＤ１に基づく測定データＤ２」との条件や、「操作部４のスタートスイッチが操作されてからストップスイッチが操作されるまでの間に実行された測定処理によって生成された測定データＤ１に基づく測定データＤ２」との条件が設定されたときには、この設定された条件を満たす測定データＤ２に基づくフレーム１１（グラフＧ）だけが矢印Ａ３の方向で重なって測定結果表示用画面１０内に表示される（図示せず）。
【００３９】
このように、この測定結果表示装置１、および測定結果表示装置１による測定結果表示方法では、フレーム表示条件が指定されたときに、各スペクトル表示用フレーム１１ａ〜１１ｈを矢印Ａ３の方向にずらして測定順に重ねて表示させる各フレーム表示位置のうちの測定順における最後尾のフレーム表示位置を除く各フレーム表示位置にフレーム表示条件を満たす測定データＤ２に基づく各フレーム１１（グラフＧ）だけを表示させると共に、最後尾のフレーム表示位置に新たな測定データＤ２に基づくフレーム１１ａ（グラフＧａ）を表示させる。
【００４０】
したがって、この測定結果表示装置１、および測定結果表示装置１による測定結果表示方法によれば、新たな測定データを生成する度にその測定データが所定の条件を満たすか否かに関係なくフレーム１１（グラフＧ）を測定結果表示用画面１０内に表示させる構成とは異なり、フレーム表示条件として指定した条件を満たさない測定データＤ２に基づくフレーム１１を挟むことなく、指定したフレーム表示条件を満たす測定データＤ２に基づくフレーム１１（グラフＧ）を矢印Ａ３の方向に測定順で重ねて表示させることができる。このため、不慣れな利用者であっても、所望の条件を満たす測定データＤ２についての処理開始からの経過時間に応じたレベルの変化量を明確かつ容易に認識することができる。また、この測定結果表示装置１、および測定結果表示装置１による測定結果表示方法によれば、例えば、上記のフレーム表示条件を満たさない測定データＤ２が連続して生成されたときに、この測定データＤ２に基づくフレーム１１（グラフＧ）が測定結果表示用画面１０に表示されないときには、入力信号Ｓｉについての測定処理が継続して実行されている状態であるか、測定処理が終了した状態であるかを認識するのが困難となるおそれがあるのに対し、フレーム表示条件を満たさない測定データＤ２に対応するフレーム１１（グラフＧ）を測定順の最後尾に表示させることで、測定処理が継続して実行されている状態であることを直感的に認識させることができる。
【００４１】
なお、新たな測定データＤ２としてフレーム表示条件を満たさない測定データＤ２が生成されたときに、その測定データＤ２に基づいてフレーム１１ａにグラフＧａを表示させる例について説明したが、新たな測定データＤ２としてフレーム表示条件を満たさない測定データＤ２が生成されたときに、その測定データＤ２に基づくフレーム１１（グラフＧ）を測定結果表示用画面１０内に表示させない構成を採用することもできる。具体的には、前述した例において、処理開始から７秒が経過した時点において入力信号Ｓｉが「分析すべき信号成分が含まれていない状態」となり、生成した測定データＤ２がフレーム表示条件を満たしていないと判別したときに、図５に示すように、新たに生成した測定データＤ２に基づくフレーム１１ａ（グラフＧａ）を測定結果表示用画面１０内に表示させずに、図４に示す状態を維持する構成を採用することができる。
【００４２】
このように、フレーム表示条件が指定されたときに、各スペクトル表示用フレーム１１ａ〜１１ｈを矢印Ａ３の方向にずらして測定順およびその逆順のいずれかの順に重ねて表示させる各フレーム表示位置にフレーム表示条件を満たさない測定データＤ２に基づくフレーム１１（グラフＧ）を表示させずにフレーム表示条件を満たす測定データＤ２に基づくフレーム１１（グラフＧ）だけを表示させる測定結果表示装置１、およびその測定結果表示方法によれば、前述した構成の測定結果表示装置１、およびその測定結果表示方法と同様にして、新たな測定データを生成する度にその測定データが所定の条件を満たすか否かに関係なくフレーム１１（グラフＧ）を測定結果表示用画面１０内に表示させる構成とは異なり、フレーム表示条件として指定した条件を満たさない測定データＤ２に基づくフレーム１１を挟むことなく、指定したフレーム表示条件を満たす測定データＤ２に基づくフレーム１１（グラフＧ）を矢印Ａ３の方向に測定順で重ねて表示させることができる。このため、不慣れな利用者であっても、所望の条件を満たす測定データＤ２についての処理開始からの経過時間に応じたレベルの変化量を明確かつ容易に認識することができる。
【００４３】
また、入力信号Ｓｉについての測定処理（測定データＤ２の生成処理）と並行して測定結果表示用画面１０にフレーム１１を表示させる例について説明したが、上記の測定結果表示装置１では、入力信号Ｓｉについての一連の測定処理が完了した時点（複数の測定データＤ２がメモリ３に記憶された時点）において、フレーム表示条件を満たす測定データＤ２に基づくフレーム１１を測定結果表示用画面１０内に表示させることもできる。このような使用形態においても、上記の測定処理と並行して測定結果表示用画面１０にフレーム１１を表示させたときと同様の効果を奏することができる。さらに、上記の測定結果表示装置１では、フレーム表示条件を満たさない測定データＤ２については、その後に生成した測定データＤ２を上書きすることによって消去する構成を採用しているが、フレーム表示条件を満たさない測定データＤ２についてもフレーム表示条件を満たす測定データＤ２と同様にしてメモリ３内に記憶させた状態を維持する構成を採用することもできる。
【００４４】
また、上記の測定結果表示装置１では、各フレーム１１内に折れ線グラフ状のグラフＧを表示するように構成されているが、グラフＧａ〜Ｇｈに代えて、各成分（周波数）毎のレベルを示す棒グラフを表示させる構成を採用することもできる。
【符号の説明】
【００４５】
１  測定結果表示装置
５  表示部
６  制御部
１０  測定結果表示用画面
１１ａ〜１１ｈ  スペクトル表示用フレーム
Ｄ１，Ｄ２  測定データ
Ｇａ〜Ｇｈ，Ｇｘ  グラフ
【図１】
2011027673.tif 000003
【図２】
2011027673.tif 000004
【図３】
2011027673.tif 000005
【図４】
2011027673.tif 000006
【図５】
2011027673.tif 000007
【図６】
2011027673.tif 000008
【図７】
2011027673.tif 000009
【図８】
2011027673.tif 000010
【図９】
2011027673.tif 000011